(57)【特許請求の範囲】
【請求項１】
マイクロショベルのアームに取り付けるアタッチメントであって、該アームに取り付ける取付部と、該取付部に回動可能に設けられた中実角柱状の本体部と、該本体部の上端部に設けられ当該本体部と共に鳶口形状を構成する固定顎と、上記本体部に回動可能に設けられ上記固定顎に対して開閉動作する可動顎と、該可動顎を回動させる油圧シリンダーとを備え、上記固定顎は上記本体部の長手方向に対して斜め４５度の方向に延びると共に自由端部に先細り形状の爪部を有し、該爪部が上記本体部の長手方向に対して直角の方向に延びることを特徴とする内装解体用アタッチメント。
【請求項２】
上記本体部は超々ジュラルミン製であることを特徴とする請求項１記載の内装解体用アタッチメント。
【請求項３】
上記油圧シリンダーは上記本体部と上記可動顎間に露出していることを特徴とする請求項１又は請求項２に記載の内装解体用アタッチメント。
【請求項４】
上記固定顎に吊りボルト用カッターを備えたことを特徴とする請求項１乃至請求項３の何れかに記載の内装解体用アタッチメント。
【発明の詳細な説明】
【技術分野】
【０００１】
本発明は、マイクロショベルと称される、機体重量が１トン以下の超小型の油圧ショベルのアームに取り付けるアタッチメントであって、内装解体工事に適したアタッチメントに関するものである。
【背景技術】
【０００２】
従来、解体工事において、建築物の外装や構造体の解体については、一般的な大型の油圧ショベルで作業が行われているが、内装の解体については、屋内に一般的な油圧ショベルが入ることができないと共に、廃棄物の分別に即した細かな作業が強いられるため、手作業によって行われているのが現状である。
【０００３】
他方、マイクロショベル、すなわち機体重量が１トン以下（約５００ｋｇ〜９００ｋｇ）の油圧ショベルが既知であり、このマイクロショベルであれば屋内に入り作業を行うことができる。
【０００４】
また、一般的な油圧ショベルのアームに取り付けるアタッチメントとして、解体用のアタッチメントは、たとえば下記特許文献１をはじめとして、種々存在する。
【先行技術文献】
【特許文献】
【０００５】
【特許文献１】特開平７−２０４５２６号公報
【発明の概要】
【発明が解決しようとする課題】
【０００６】
上述のように、マイクロショベルが屋内に入って作業ができることも既知であり、一般的な油圧ショベルのアームに取り付ける解体用アタッチメントも既知である。よって、一般的な油圧ショベル用のアタッチメントを小型化してマイクロショベル用に改造することも考えられる。
【０００７】
しかし、マイクロショベルは、約５００ｋｇ〜９００ｋｇの重量であり、アタッチメントの重量がマイクロショベルの重量の一割程度でなければ、重心が前方に偏り、前方に倒れてしまうと共に、作業の安定性にも欠けてしまうところ、一般的な油圧ショベル用のアタッチメントをマイクロショベル用とするために単純に小型化したとしても、多少の軽量化とはなっても、構造を根本的に見直さねば、所望の軽量化は困難である。
【０００８】
また、素材を変更して軽量化を図るとしても、必要な強度を確保するには、やはり構造を根本的に見直させねばならない。
【課題を解決するための手段】
【０００９】
本発明は、マイクロショベルのアームに取り付け可能な重量にすることができると共に内装解体に必要な強度及び形態を有した構造のアタッチメントを提供する。
【００１０】
要述すると、本発明に係る内装解体用アタッチメントは、マイクロショベルのアームに取り付けるアタッチメントであって、該アームに取り付ける取付部と、該取付部に回動可能に設けられた中実角柱状の本体部と、該本体部の上端部に設けられ当該本体部と共に鳶口形状を構成する固定顎と、上記本体部に回動可能に設けられ上記固定顎に対して開閉動作する可動顎と、該可動顎を回動させる油圧シリンダーとを備え、上記固定顎は上記本体部の長手方向に対して斜め４５度の方向に延びると共に自由端部に先細り形状の爪部を有し、該爪部が上記本体部の長手方向に対して直角の方向に延びる構造を有する。上記中実角柱状の本体部により、軽量化と強度確保の両立を図りつつ、上記取付部から上記固定顎及び上記可動顎までの長さを長尺とすることができる。
【００１１】
好ましくは、上記本体部を超々ジュラルミン（ＪＩＳ：Ａ７０７５）製とし、軽量化と強度確保の両立を図る。
【００１２】
また、上記油圧シリンダーは上記本体部と上記可動顎間に露出していることにより、当該油圧シリンダーを保護する部材を省略し、更なる軽量化を図ることができる。
【００１３】
好ましくは、上記固定顎に吊りボルト用カッターを備えることにより、天井の解体作業を効率良く行うことができる。
【発明の効果】
【００１４】
本発明に係る内装解体用アタッチメントは、中実角柱状の本体部によって、できるだけ容積を減らして軽量化を図りつつも強度を確保することができる。
【００１５】
また、中実角柱状の本体部により、内装解体に必要な尺を確保することができ、作業を行う固定顎及び可動顎を所望の位置まで届けることができる。加えて、当該本体部の上端部に設けた固定顎の延伸方向や該固定顎の爪部の延伸方向によって、当該爪部がより遠くまで到達できると共に解体作業の作業性を向上する。
【図面の簡単な説明】
【００１６】
【図１】本発明に係る内装解体用アタッチメントの正面図である。
【図２】可動顎を回動して開いた状態を示す正面図である。
【図３】（Ａ）は本発明に係る内装解体用アタッチメントの側面図、（Ｂ）は吊りボルト用カッターの説明図である。
【図４】本発明に係る内装解体用アタッチメントの使用状態を示す説明図である。
【発明を実施するための形態】
【００１７】
本発明に係る内装解体用アタッチメント１の最良の形態を図１乃至図４に基づき説明する。
【００１８】
本発明に係る内装解体用アタッチメント１は、図４に示すように、マイクロショベル（超小型の油圧ショベル）ＰのアームＡに取り付けるアタッチメントであって、図１乃至図３に示すように、アームＡの自由端部に取り付ける取付部１０と、該取付部１０に回動可能に設けられた中実角柱状の本体部２と、該本体部２の上端部に設けられ当該本体部２と共に鳶口形状を構成する固定顎３と、上記本体部２に回動可能に設けられ上記固定顎３に対して開閉動作する可動顎４と、該可動顎４を回動させる油圧シリンダー５とを備える。
【００１９】
本体部２は、素材に関わらず、角柱状とすることにより無用な肉をそぎ落とした外観形状として軽量化を図る一方、中実状として強度確保を図ることができる。また、素材としては、軽量且つ強度の高い金属が好ましく、就中、超々ジュラルミン（ＪＩＳ：Ａ７０７５）が望ましい。
【００２０】
本発明にあっては、本体部２を上述のような構成とすることにより、可及的に長尺とすることができ、その上端部に設ける固定顎３や該固定顎３に対して開閉動作する可動顎４を取付部１０から可及的に離して設けることができる。したがって、作業範囲を広範囲とすることができ、特に低背であるマイクロショベルＰの高さを補って、天井の解体に関する作業性を向上することができる。なお、本体部２には油圧シリンダー５の一部を収容する凹部２ａが形成されている。
【００２１】
また、本体部２の上端部に設けられる固定顎３は、図１乃至図３に示すように、対向する一対の固定顎構成板３０を連結軸３１と断面Ｙ字状に組み合わせた補強板３２を介して剛結合して成り、各固定顎構成板３０は、自由端部に先細り形状の爪部３ａを有すると共に、可動顎４と対峙する部分には複数の歯３ｂを有する構成となっている。
【００２２】
そして、固定顎３は、上述したように本体部２と共に鳶口形状を構成するものであり、図１に示すように、本体部２の上端部から該本体部２の長手方向に対して斜め上方に角度αをもって延びる構成となっている。当該角度αは４５度が好ましく、この４５度の角度で延伸することにより、固定顎３の爪部３ａをできるだけ取付部１０から離れた位置に存在させることできると共に強度を確保することができる。また、上記した断面Ｙ字状に組み合わせた補強板３２は、本体部２の上面及び側面と強固に結合しつつ固定顎３の延伸方向に沿って各固定顎構成板３０を連結している。
【００２３】
加えて、固定顎３の爪部３ａは本体部２の長手方向に対して角度βをもって延びる構成となっている。当該角度βは９０度が好ましく、この角度とすることにより、本体部２からの力を伝えやすいと共に、後述する吊りボルト用カッター３３での作業性を向上する。
【００２４】
また、図１乃至図３中の３３は、天井板を吊り下げる際に用いられる吊りボルトを切断するための吊りボルト用カッターであり、各固定顎構成板３０の爪部３ａ間に配設する。当該吊りボルト用カッター３３は、図３Ｂに示すように、収斂形状の切断部３３ａを有しており、図４に示すように、固定顎３を吊りボルトＢに対して前進させて、吊りボルト用カッター３３の切断部３３ａに吊りボルトを導き入れて切断することができる。
【００２５】
なお、固定顎３は実際に解体作業を担う部分であり、必要な強度を確保するには鋼製であることが望ましいが、上記した各固定顎構成板３０、連結軸３１及び補強板３２のこれら３つの構成部材で構成することにより軽量化を図っている。
【００２６】
次に可動顎４について説明する。可動顎４は、図１乃至図３に示すように、対向する一対の可動顎構成板４０を連結軸４１と断面Ｌ字状に組み合わせた補強板４２を介して剛結合して成り、各可動顎構成板４０は、自由端部に先細り形状の爪部４ａを有すると共に、固定顎３と対峙する部分には複数の歯４ｂを有する構成となっている。
【００２７】
そして、可動顎４は本体部２に回動可能に設けられ、該可動顎４の基端部側の断面Ｌ字状の補強板４２の入隅部に固定されたリンク片４３を介して油圧シリンダー５と連結されており、該油圧シリンダー５によって固定顎３に対して開閉動作を可能としている。
【００２８】
なお、可動顎４も、固定顎３と同様に実際に解体作業を担う部分であり、必要な強度を確保するには鋼製であることが望ましいが、上記した各可動顎構成板４０、連結軸４１及び補強板４２のこれら３つの構成部材で構成することにより軽量化を図っている。
【００２９】
また、本発明にあっては、上述した固定顎３を構成する固定顎構成板３０の対向間隔よりも、可動顎４を構成する可動顎構成板４０の対向間隔を広く設定することによって、図１に示すように、固定顎３に対して可動顎４が閉じている際には固定顎３の爪部３ａと可動顎４の爪部４ａとがクロスするように設定している。これにより、小割作業をも可能としている。
【００３０】
最後に油圧シリンダー５について説明する。油圧シリンダー５は、可動顎４を回動させるものであり、図１乃至図３に示すように、可動顎４の基端部側にリンク片４３を介して連結すると共に本体部２の基端部側とも連結している。当該油圧シリンダー５は、一部を本体部２の凹部２ａに収容されるが、その余は露出して配設される。このような構成にすることにより、保護する部材を省略し、更なる軽量化を図ることができる。
【００３１】
以上説明したように、本発明に係る内装解体用アタッチメント１は、本体部２の構造により軽量化と強度確保を両立しつつ、可及的に長尺とすることができ、固定顎３及び可動顎４による作業範囲を広範囲とすることができる。図４にも示すように、特に低背であるマイクロショベルＰの高さを補って、天井の解体に関する作業性を向上することができる。
【００３２】
また、本体部２の長手方向に対する固定顎３の延伸方向及び固定顎３の爪部３ａの延伸方向の角度により、当該爪部３ａをできるだけ取付部１０から離れた位置まで到達できるようにすると共に、強度確保に考慮しつつ作業性を向上させることができる。
【符号の説明】
【００３３】
１…内装解体用アタッチメント、
２…本体部、２ａ…凹部、
３…固定顎、３ａ…爪部、３ｂ…歯、
４…可動顎、４ａ…爪部、４ｂ…歯、
５…油圧シリンダー、
１０…取付部、
３０…固定顎構成板、３１…連結軸、３２…補強板、
３３…吊りボルト用カッター、３３ａ…切断部、
４０…可動顎構成板、４１…連結軸、４２…補強板、４３…リンク片、
Ａ…アーム、
Ｂ…吊りボルト、
Ｐ…マイクロショベル、
α…本体部の長手方向に対する固定顎の延伸方向の角度
β…本体部の長手方向に対する固定顎の爪部の延伸方向の角度。
【要約】
【課題】  マイクロショベルのアームに取り付け可能な重量にすることができると共に内装解体に必要な強度及び形態を有した構造のアタッチメントの提供。
【解決手段】  本発明に係る内装解体用アタッチメント１は、マイクロショベルのアームに取り付けるアタッチメントであって、該アームに取り付ける取付部１０と、該取付部１０に回動可能に設けられた中実角柱状の本体部２と、該本体部２の上端部に設けられ当該本体部２と共に鳶口形状を構成する固定顎３と、上記本体部２に回動可能に設けられ上記固定顎３に対して開閉動作する可動顎４と、該可動顎４を回動させる油圧シリンダー５とを備え、上記固定顎３は上記本体部２の長手方向に対して斜め４５度の方向に延びると共に自由端部に先細り形状の爪部３ａを有し、該爪部３ａが上記本体部２の長手方向に対して直角の方向に延びる構造を有する。
【選択図】  図１【図１】
0006738076.tif 000002
【図２】
0006738076.tif 000003
【図３】
0006738076.tif 000004
【図４】
0006738076.tif 000005